(57)【要約】      （修正有）【課題】配電用碍子等の被取付け部材の向きに応じて取付け部材を軸線まわりに回動させることによって保持具本体を適正に電柱に取り付けることができ、加えて、鳥獣や虫等の侵入を阻止してこれらの害を防止することができるクランプカバー装置を提供する。【解決手段】電線５の端部を保持する保持具本体２と、電線の端部を保持した保持具本体２を電柱に取付けるための取付け部材３であって、互いに平行な２本の直線状部分３２を有し、各直線状部分３２の軸線間の、各直線状部分３２の軸線に平行な予め定める軸線Ｌまわりに各直線状部分３２が回動可能なように、各直線状部分３２の一端部が、前記保持具本体２に連結される取付け部材３と、に装着される、絶縁性樹脂からなるクランプカバー装置１である。各直線状部分３２の前記一端部側の一部が、前記予め定める軸線Ｌまわりに回動可能に収容される空間を規定する収容部Ｓ２を備える。【選択図】図３
2017093183.tif 000002
【特許請求の範囲】
【請求項１】
電線の端部を保持する保持具本体と、電線の端部を保持した保持具本体を電柱に取付けるための取付け部材であって、互いに平行な２本の直線状部分を有し、各直線状部分の軸線間の、各直線状部分の軸線に平行な予め定める軸線まわりに各直線状部分が回動可能なように、各直線状部分の一端部が、前記保持具本体に連結される取付け部材と、に装着される、絶縁性樹脂からなるクランプカバー装置において、
各直線状部分の前記一端部側の一部が、前記予め定める軸線まわりに回動可能に収容される空間を規定する収容部を備えることを特徴とするクランプカバー装置。
【請求項２】
電線の端部を保持する保持具本体と、電線の端部を保持した保持具本体を電柱に取付けるための取付け部材であって、互いに平行な２本の直線状部分を有し、各直線状部分の軸線間の、各直線状部分の軸線に平行な予め定める軸線まわりに各直線状部分が回動可能なように、各直線状部分の一端部が、前記保持具本体に連結される取付け部材と、に装着される、絶縁性樹脂からなるクランプカバー装置において、
前記取付け部材が前記予め定める軸線まわりに回動可能な空間を規定する収容部であって、該空間と外部とを連通させる開口を有する収容部と、
前記収容部の前記開口内に設けられる、弾性変形可能な軟質の複数の板状片と、を備えることを特徴とするクランプカバー装置。
【発明の詳細な説明】
【技術分野】
【０００１】
本発明は、架空配電線を引留めておく保持具本体に間接活線工法によって装着されるクランプカバー装置に関する。
【背景技術】
【０００２】
電柱間に架設される架空配電線は、電柱に配電用碍子を介して取り付けられた引留クランプによって把持されている。そして、引留クランプは、鳥獣や各種虫による架空配電線の故障が生じるのを防ぐために、充電部が露出しないようクランプカバーで覆われている。従来、間接活線によって引留クランプに装着可能に構成されたクランプカバーが、多数提案されている。このようなクランプカバーの一例として、特許文献１に開示されたクランプカバーが挙げられる。
【０００３】
また、特許文献２には、電柱に設置される配電用碍子の向きに応じて、引留クランプを電柱に取り付けるための取付け部材（特許文献２ではハンガーロッド）をその軸線まわりに回動可能とした電線引留クランプが開示されている。
【先行技術文献】
【特許文献】
【０００４】
【特許文献１】特許第３７１４７３８号公報
【特許文献２】特許第５４１５８４５号公報
【発明の概要】
【発明が解決しようとする課題】
【０００５】
ところで、特許文献１に例示される従来のクランプカバーが装着される引留クランプは、前記のような軸線まわりに回動可能な取付け部材を有しておらず、そのため、この引留クランプに装着されるクランプカバーは、取付け部材の軸線まわりの回動を許容するような構造を有していない。一方、特許文献２に開示された電線引留クランプに設けられる取付け部材（ハンガーロッド）は、その軸線まわりに回動自在とされているが、段落「００２２」に電線引留クランプを覆う絶縁カバーについての記載はあるものの、その具体的な構造の開示はない。ましてや、当該電線引留クランプを覆った状態において、カバーにハンガーロッドの軸線まわりの回動を許容し得る構造を設けることを示唆する記載もない。
【０００６】
本発明の目的は、配電用碍子等の被取付け部材の向きに応じて取付け部材を軸線まわりに回動させることによって保持具本体を適正に電柱に取り付けることができ、加えて、鳥獣や虫等の侵入を阻止してこれらの害を防止することができるクランプカバー装置を提供することである。
【課題を解決するための手段】
【０００７】
第１の発明は、電線の端部を保持する保持具本体と、電線の端部を保持した保持具本体を電柱に取付けるための取付け部材であって、互いに平行な２本の直線状部分を有し、各直線状部分の軸線間の、各直線状部分の軸線に平行な予め定める軸線まわりに各直線状部分が回動可能なように、各直線状部分の一端部が、前記保持具本体に連結される取付け部材と、に装着される、絶縁性樹脂からなるクランプカバー装置において、
各直線状部分の前記一端部側の一部が、前記予め定める軸線まわりに回動可能に収容される空間を規定する収容部を備えることを特徴とするクランプカバー装置である。
【０００８】
また、第２の発明は、電線の端部を保持する保持具本体と、電線の端部を保持した保持具本体を電柱に取付けるための取付け部材であって、互いに平行な２本の直線状部分を有し、各直線状部分の軸線間の、各直線状部分の軸線に平行な予め定める軸線まわりに各直線状部分が回動可能なように、各直線状部分の一端部が、前記保持具本体に連結される取付け部材と、に装着される、絶縁性樹脂からなるクランプカバー装置において、
前記取付け部材が前記予め定める軸線まわりに回動可能な空間を規定する収容部であって、該空間と外部とを連通させる開口を有する収容部と、
前記収容部の前記開口内に設けられる、弾性変形可能な軟質の複数の板状片と、を備えることを特徴とするクランプカバー装置である。
【発明の効果】
【０００９】
第１の発明によれば、クランプカバー装置は、保持具本体を電柱に取付けるための取付け部材における各直線状部分の一端部側の一部が、前記予め定める軸線まわりに回動可能に収容される空間を規定する収容部を備える。
【００１０】
これにより、クランプカバー装置を間接活線工法によって保持具本体と取付け部材とに装着する際に、電柱に設けられる配電用碍子等の被取付部材の向きに応じて、取付け部材を前記軸線まわりに回動させて、保持具本体の所定の位置を変えることなく、取付け部材を電柱に適正に取付けることができる。
【００１１】
また、第２の発明によれば、クランプカバー装置は、保持具本体を電柱に取付けるための取付け部材が前記予め定める軸線まわりに回動可能な空間を規定する収容部であって、該空間と外部とを連通させる開口を有する収容部と、前記収容部の前記開口内に設けられる、弾性変形可能な軟質の複数の板状片と、を備える。
【００１２】
これにより、クランプカバー装置を間接活線工法によって保持具本体と取付け部材とに装着する際に、電柱に設けられる配電用碍子等の被取付け部材の向きに応じて、取付け部材を前記軸線まわりに回動させて、保持具本体の所定の位置を変えることなく、取付け部材を電柱に適正に取付けることができる。また、開口内に弾性変形可能な軟質の複数の板状片が設けられているから、取付け部材は、その直線状部分の一端部が収容部に収容されるも、空間と外部間に亘り開口を連通するように保持具本体に連結された状態とされる。加えて、取付け部材を前記軸線まわりに回動させる際に、取付け部材の前記軸線まわりの回動が板状片の弾性変形を伴い支障なく成されるとともに、開口が複数の板状片によって閉塞された状態に維持さる。これによって、クランプカバー装置内への鳥獣や虫等の侵入が阻止され、これらによる害を未然に防止することができる。
【図面の簡単な説明】
【００１３】
【図１】本発明の一実施形態に係るクランプカバー装置１の外観を示す斜視図である。
【図２】図１における矢視Ｉ方向に沿って見た正面図である。
【図３】クランプカバー装置１の開状態における左カバー片１１を内側から見た斜視図である。
【図４】クランプカバー装置１の開状態における左カバー片１１の右側面図である。
【図５】クランプカバー装置１の左側面図である。
【図６】クランプカバー本体１０の開状態における底面図である。
【図７】クランプカバー装置１の装着対象である保持具本体２と取付け部材３とが連結された状態を示す図であり、（ａ）は左側面図、（ｂ）は斜視図である。
【図８】蓋部４を予め定める軸線Ｌ方向に沿ってクランプカバー本体１０の内側から外側に向かって見た図である。
【図９】蓋部４の別例を示す図であり、（ａ）は正面図、（ｂ）は背面側から見た斜視図、（ｃ）は背面側の別角度から見た斜視図、（ｄ）は（ａ）における矢視ＩＩ方向に沿って見た図、（ｅ）は（ａ）における矢視ＩＩＩ方向に沿って見た図である。
【図１０】本発明の他の実施形態に係るクランプカバー本体１０の開状態を内側から見た斜視図である。
【図１１】開状態の同クランプカバー本体１０の底面図である。
【発明を実施するための形態】
【００１４】
図１は本発明の一実施形態に係るクランプカバー装置１の外観を示す斜視図である。図２は図１における矢視Ｉ方向からみた正面図である。図３はクランプカバー装置１の開状態における左側カバー片１１を内側から見た斜視図である。図４はクランプカバー装置１の開状態における左側カバー片１１の右側面図である。図５はクランプカバー装置１の左側面図である。図６はクランプカバー本体１０の開状態における底面図である。図７は、クランプカバー装置１の装着対象である保持具本体２と取付け部材３とが連結された状態を示す図であり、（ａ）は左側面図、（ｂ）は斜視図である。図８は蓋部４を予め定める軸線Ｌ方向に沿ってクランプカバー本体１０の内側から外側に向かって見た図である。
【００１５】
本発明に係るクランプカバー装置１は、アルミ電線などの架空配電線５を引留めるために、電柱６などの構造物に設けられた陶磁器製配電用碍子７に対して取付け部材３を介して取り付けられた保持具本体としての引留クランプ２に対して、やっとこなどの間接工具を用いて間接活線工法によって装着可能に構成されている。
【００１６】
まず、本発明に係るクランプカバー装置１の装着対象である引留クランプ２および取付け部材３について説明する。引留めクランプ２は、金属製部材からなり、所定の張力で張設された架空配電線５（導入側配電線５ａおよび導出側配電線５ｂ）の端部５ａａ，５ｂａを、電柱６などの構造物の近傍において挟持（クランプ）し、取付け部材３を介して配電用碍子７に取付けられる。図４において、符号６ａ、６ｂは、電柱６に設置されたブラケットであり、配電用碍子７を所定の向きになるよう支持している。図４では、配電用碍子７をその軸線が鉛直方向に向くように支持している。引留クランプ２の長手方向の一方側には、取付け部材３を予め定められた軸線Ｌのまわりに回動自在に結合するための結合基体２１を有している。そして、引留クランプ２は、導入側配電線５ａおよび導出側配電線５ｂの端部５ａａ，５ｂａを、被覆部を剥離した状態で挟持するくさび部２０およびくさび部受容ブロック部２００を有している。くさび部２０およびくさび部受容ブロック部２００による挟持によって、導入側配電線５ａおよび導出側配電線５ｂは互いに電気的に導通状態とされる。
【００１７】
取付け部材３は、略Ｕ字形に曲げ加工された金属線３０からなり、半円形部分３１と、その両端部から延びる互いに平行な２本の直線状部分３２，３２とを有している。取付け部材３は、図３に示すように、各直線状部分３２，３２の軸線Ｌａ，Ｌａ間の、各直線状部分３２，３２の軸線Ｌａ，Ｌａに平行な前記予め定められた軸線Ｌのまわりに回動自在とされている。取付け部材３は、樹脂の成型体からなる略直方体形状の回動基体３３に支持されている。回動基体３３の長手方向の中心には、第１の透孔３３ａ（図７参照）が形成され、回動基体３３の長手方向の両側にはこの第１の透孔３３ａを中心として対称に２個の第２の透孔３３ｂ，３３ｂが形成されている。回動基体３３の長手方向の両側部には第２の透孔３３ｂ，３３ｂに通じるスリット３２ｃ，３２ｃが形成されている。このスリット３２ｃ，３２ｃのスリット幅は、第２の透孔３３ｂ，３３ｂの径より小とされている。取付け部材３を構成する金属線３０の径は、第２の透孔３３ｂ，３３ｂと略同径とされ、直線状部分３２，３２の一端部３２ａ，３２ａを構成する金属線３０が、前記スリット３２ｃ，３２ｃから該スリット３２ｃ，３２ｃを広げるようにして第２の透孔３３ｂ，３３ｂに圧入され、これによって取付け部材３が回動基体３３に支持されるように成されている。直線状部分３２，３２の先端部３２ｂ，３２ｂは、第２の透孔３３ｂ，３３ｂの径より大とされ、直線状部分３２，３２の第２の透孔３３ｂ，３３ｂからの抜け止めが成されている。
【００１８】
また、回動基体３３は、第１の透孔３３ａに挿入されたねじ付ピン３４を、引留クランプ２の結合基体２１に軸線Ｌと同軸状に設けられた支軸部２２に螺合することによって、結合基体２１および支軸部２２に対して前記軸線Ｌのまわりに回動可能に連結されている。取付け部材３の半円形部分３１および直線状部分３２，３２の先側部を除いた部分は、絶縁性樹脂の被覆層３０ａによって被覆されている。したがって、直線状部分３２，３２の少なくとも回動基体３３に支持される部分は金属線３０が露出している。後述するクランプ用収容部Ｓ１における右カバー片１１および左カバー片１２のそれぞれの内面には、引留クランプ２を所定位置に保持するために、結合基体２１を取り囲んで所定の位置に位置決めする凹曲状の位置決部１８が設けられている。
【００１９】
本発明に係るクランプカバー装置１は、取付け部材３を軸線Ｌのまわりに回動可能とすることにより、電柱６等の構造物に設けられる配電用碍子７の向きに応じて引留クランプ２を引留めることができるように構成したものであり、以下に、その具体的な構造について説明する。
【００２０】
本発明の一実施形態に係るクランプカバー装置１は、クランプカバー本体１０を有し、該クランプカバー本体１０は、図２に示すように、閉状態としたものを正面側から見たときに、左側に配置される左カバー片１１と、右側に配置される右カバー片１２と、左カバー片１１の上縁部１１ａと右カバー片１２の上縁部１２ａとに連なり左カバー片１１と右カバー片１２とを所定の軸線まわりに回動可能に連結する長尺状のヒンジ部１３（図６も参照）と、左カバー片１１の下縁部１１ｂと右カバー片１２の下縁部１２ｂとを着脱可能に係合する下縁係合部１４と、左カバー片１１の中間縁部１１ｃと右カバー片１２の中間縁部１２ｃとを着脱可能に係合する中間係合部１５とを有し、これらの各部が、難燃性の絶縁性樹脂材料（例えば、ポリエチレン）で一体的に形成されることによって、左カバー片１１と右カバー片１２とが互いに開閉可能に構成されている。
【００２１】
各カバー片１１，１２において、上縁部１１ａ，１２ａは、直線状に延設され、クランプカバー本体１０を引留クランプ２に装着した状態において、クランプカバー本体１０の上部に配置される。また、下縁部１１ｂ，１２ｂは、クランプカバー本体１０の背面側から正面側に向かって進むにつれて、上縁部１１ａ，１２ａから離反するように延設され、クランプカバー本体１０を引留クランプ２に装着した状態において、クランプカバー本体１０の下部に配置され、かつ、水平方向に延びるように位置付けられる。したがって、上縁部１１ａ，１２ａは、背面側から正面側に向かって、上向きに傾斜するように位置付けられる。各カバー片１１，１２において、中間縁部１１ｃ，１２ｃは、後述する円筒状の収容部Ｓ２を構成する円筒状部分構成部８１，８２のそれぞれの上端部に相当する。また、下縁部１１ｂ，１２ｂの一部は、円筒状部分構成部８１，８２のそれぞれの下端部を構成する。
【００２２】
ここで、クランプカバー本体１０に関して、閉状態とは、左カバー片１１の下縁部１１ｂと右カバー片１２の下縁部１２ｂとが閉塞され、かつ、左カバー片１１の中間縁部１１ｃと右カバー片１２の中間縁部１２ｃとが閉塞された状態のことであり、開状態とは、左カバー片１１の下縁部１１ｂと右カバー片１２の下縁部１２ｂとが離反し、かつ、左カバー片１１の中間縁部１１ｃと右カバー片１２の中間縁部１２ｃとが離反している状態のことである。なお、図６では、閉状態のクランプカバー本体１０から、両カバー片１１，１２をヒンジ部１３の軸線まわりに回動させて、１８０度に開いた状態を示している。
【００２３】
両カバー片１１，１２は、閉状態とした状態では、その内部に前記引留クランプ２、引留クランプ２に挟持される配電線５ａ，５ｂの一部、前記回動基体３３および取付け部材３の一部を収容し得る容器状の収容空間Ｓを形成するように構成される。この収容空間Ｓは、大略的に、引留クランプ２および配電線５の一部を収容するクランプ用収容部Ｓ１と、回動基体３３および取付け部材３の一部を収容する円筒状の回動基体用収容部Ｓ２とからなる。回動基体用収容部Ｓ２は、クランプ用収容部Ｓ１に連通し、かつ、クランプ用収容部Ｓ１の途中から分岐するように形成されている。
【００２４】
クランプ用収容部Ｓ１の背面側の両カバー片１１，１２には、導入側配電線５ａを挿通するための第１開口形成部１１ｄ，１２ｄがそれぞれ形成されている。これら第１開口形成部１１ｄ，１２ｄのそれぞれの内周面には、図３および図４に示すように、複数の平行な突片１６が形成されている。但し、第１開口形成部１２ｄ側に設けられる突片１６の図示は省略している。第１開口形成部１１ｄ側に設けられる突片１６と、第１開口形成部１２ｄ側に設けられる図示を省略した突片１６とは、両カバー片１１，１２が閉状態とされたときには、クランプ用収容部Ｓ１内で互いに突き合わせ状態となるように設けられている。これら突片１６は、クランプカバー本体１０を引留クランプ２に装着したときに、各第１開口形成部１１ｄ，１２ｄによって形成される開口を挿通する導入側配電線５ａに対して、屈曲を伴って当接することで、導入側配電線５ａに圧接される。また、第１開口形成部１１ｄ，１２ｄの開口縁部からは、背面側に向かって延び、かつ、背面側に向かって進むに従って互いに近接方向へ傾斜する略三角形状の複数のひだ片１６１が設けられている。これらのひだ片１６１は、クランプカバー本体１０を引留クランプ２に装着したときに、その先端側部分が各第１開口形成部１１ｄ，１２ｄによって形成される開口を挿通する導入側配電線５ａに対して密着することで、その開口を塞ぐように機能する。これにより、その開口を介して収容空間Ｓ内への鳥獣や虫などが侵入することを防止している。
【００２５】
クランプ用収容部Ｓ１の正面側の両カバー片１１，１２には、導出側配電線５ｂを挿通するための第２開口形成部１１ｅ，１２ｅがそれぞれ形成されている。これら第２開口形成部１１ｅ，１２ｅのそれぞれの内周面には、図３および図４に示すように、複数の平行な突片１７が形成されている。但し、第２開口形成部１２ｅ側に設けられる突片１７の図示は省略している。第２開口形成部１１ｅ側に設けられる突片１７と、第２開口形成部１２ｅ側に設けられる図示を省略した突片１７とは、両カバー片１１，１２が閉状態とされたときには、クランプ用収容部Ｓ１内で互いに突き合わせ状態となるように設けられている。これら突片１７は、クランプカバー本体１０を引留クランプ２に装着したときに、各第２開口形成部１１ｅ，１２ｅによって形成される開口を挿通する導出側配電線５ｂに対して、屈曲を伴って当接することで、導出側配電線５ｂに圧接される。また、第２開口形成部１１ｅ，１２ｅの開口縁部からは、正面側に向かって延び、かつ、正面側に向かって進むに従って互いに近接方向へ傾斜する略方形状の複数のひだ片１７１が設けられている。これらのひだ片１７１は、クランプカバー本体１０を引留クランプ２に装着したときに、その先端側部分が各第２開口形成部１１ｅ，１２ｅによって形成される開口を挿通する導出側配電線５ｂに対して密着することで、その開口を塞ぐように機能する。これにより、その開口を介して収容空間Ｓ内への鳥獣や虫などが侵入することを防止している。
【００２６】
回動基体用収容部Ｓ２は、取付け部材３が回動基体３３と共に前記軸線Ｌまわりに回動可能な空間を規定する収容部である。回動基体用収容部Ｓ２は、両カバー片１１，１２が閉状態のときに円筒状部分構成部８１，８２が合体して形成される円筒状部分８によって構成される。この円筒状部分８の内径は、回動基体３３および取付け部材３の直線状部分３２，３２の先側部が前記軸線Ｌのまわりを回動し得る大きさとされている。円筒状部分構成部８１，８２の外周面には、周方向に沿った複数の補強用リブ８１ａ，８２ａが軸線Ｌ方向に沿って適宜間隔毎に設けられている。この補強用リブ８１ａ，８２ａは、円筒状部分８内に回動基体３３等の回動体が収容されているため、これらの回動体の回動に伴い円筒状部分構成部８１，８２にストレスがかかることから、これを補強するために設けられている。円筒状部分８の正面側部には、回動基体用収容部Ｓ２の内部空間と外部とを連通させる円形の開口８０が形成され、この開口８０には蓋部４が設けられている。
【００２７】
蓋部４は、円筒状部分構成部８１，８２のそれぞれに一体の半円形の蓋部構成部４１，４２からなり、蓋部構成部４１，４２の回動基体用収容部Ｓ２側内周面には、弾性変形可能な複数の方形の板状片４３が前記軸線Ｌに直交する面域を構成するよう互いにスリット４３ａ介して互いに並列した状態で形成されている。蓋部構成部４１に形成される板状片４３と、蓋部構成部４２に形成される板状片４３とは、両カバー片１１，１２が閉状態のときに、蓋部構成部４１，４２の前記軸線Ｌを含む分断線Ｌ１において、互いに突き合わせ状態となるように構成されている（図８参照）。また、蓋部構成部４１，４２の開口８０側内周面には、前記軸線Ｌに平行な複数のリブ状板状片４４が、前記板状片４３の長手方向に直交するように形成されている。これら複数のリブ状板状片４４のそれぞれは、分断線Ｌ１に平行に形成されているが、前記軸線Ｌを含む分断線Ｌ１の直交線Ｌ２に相当する部分では軸線Ｌに平行な第１スリット４４ａが形成されている。また、これら複数のリブ状板状片４４のそれぞれにおけるこの第１スリット４４ａから蓋部構成部４１，４２側に寄った部分には軸線Ｌに平行な第２スリット４４ｂが正面視して円弧状に点在するように形成されている。これら第１スリット４４ａおよび第２スリット４４ｂにより、各リブ状板状片４４は長手方向に沿って不連続な分割体によって構成されることになる。そのため、直交線Ｌ２側の各リブ状板状片４４の分割体は、これらに直交する２本のフレームリブ４５を介して蓋部構成部４１，４２に一体とされ、その外側の各リブ状板状片４４の分割体は、蓋部構成部４１，４２に一体とされている。
【００２８】
クランプカバー本体１０を引留クランプ２に装着したときに前記蓋部４を正面視或いは背面視すると、内部側の板状片４３を構成する複数のスリット４３ａと外部側の複数のリブ状板状片４４とにより格子状に視覚される。これにより、開口８０は実質的に閉塞された状態とされ、開口８０より収容空間Ｓ内への鳥獣や虫等の侵入が防止される。クランプカバー本体１０を取付け部材３が連結された引留クランプ２に装着する際は、収容空間Ｓ内に引留クランプ２、回動基体３３および取付け部材３の直線状部分３２の一部が収容されるように両カバー片１１，１２が閉状態とされる。このとき、蓋部４を構成する板状片４３およびリブ状板状片４４の一部が弾性変形を伴い取付け部材３の直線状部分３２に弾性的に当接し、取付け部材３の半円形部分３１と直線状部分３２の一部が蓋部４より外部に露出した状態で両カバー片１１，１２が閉じられ、下縁係合部１４および中間係合部１５が係合されると、両カバー片１１，１２の閉状態が維持される。
【００２９】
そして、取付け部材３の半円形部分３１を含む部分を電柱６に設置された配電用碍子７に引っ掛けることにより、配電線５が電柱６等の構造物に引留められる。このとき、配電用碍子７は、設置状態によっては、その軸線が鉛直方向や水平方向に向いている場合があり、取付け部材３は、配電用碍子７の設置状態に応じて軸線Ｌまわりに回動させて、これに対応させることができる。すなわち、蓋部４を構成する複数の板状片４３およびリブ状板状片４４は、それぞれが弾性変形可能な軟質の樹脂からなり、分断線Ｌ１を介して分断され、かつ、スリット４３ａ、第１および第２スリット４４ａ，４４ｂによって、それぞれが個々に弾性変形可能とされているから、取付け部材３はこれら板状片４３およびリブ状板状片４４の弾性変形を伴い前記回動が容易に成される。この場合、リブ状の板状片４４は、その板面が直線状部分３２に当接するから弾性変形し易く、取付け部材３の軸線Ｌまわりの回動が抵抗少なく成される。これに対して、板状片４３はその縁部が直線状部分３２に当接するから、板状片４３自体の面域方向の抵抗が大きく、板状片４３の弾性変形が生じ難くなる。
【００３０】
なお、板状片４３およびリブ状板状片４４は、軸線Ｌ方向に沿って、例示の位置関係とは逆になるように設けてもよい。
【００３１】
本実施形態における下縁係合部１４は、左カバー片１１の下縁部１１ｂに右カバー片１２側に向くように突設された板状の差し込み爪片１４ａと、右カバー片１２の下縁部１２ｂに下方に向くよう突設された被係止片１４ｂとからなる。差し込み爪片１４ａは、その先端部の下面に爪部１４ａａを有し、被係止片１４ｂは差し込み爪片１４ａを挿入し得る係止孔１４ｂａを有している。また、中間係合部１５は、左カバー片１１の中間縁部１１ｃに右カバー片１２側に向くように突設された板状の差し込み爪片１５ａと右カバー片１２の中間縁部１２ｃに上方に向くよう突設された被係止片１５ｂとからなる。差し込み爪片１５ａは、その先端部の上面に爪部１５ａａを有し、被係止片１５ｂは差し込み爪片１５ａを挿入し得る係止孔１５ｂａを有している。なお、ここでの上下は、クランプカバー本体１０が引留クランプ２に装着され、両カバー片１１，１２が閉じられた状態での上下を指す。
【００３２】
このような構成の下縁係合部１４および中間係合部１５によって、両カバー片１１，１２を閉状態とする際は、やっとこ等の間接工具を用いて各差し込み爪片１４ａ，１５ａを把持し、被係止片１４ｂ，１５ｂの係止孔１４ｂａ，１５ｂａにそれぞれ挿入し、爪部１４ａａ，１５ａａを係止孔１４ｂａ，１５ｂａの孔縁に係止させる。これによって、両カバー片１１，１２が閉状態に維持される。このような間接工具を用いた両カバー片１１，１２の閉塞作業は極めて安全に成される。
【００３３】
図９は、蓋部４の別例を示す図であり、（ａ）は正面図、（ｂ）は背面側から見た斜視図、（ｃ）は背面側の別角度から見た斜視図、（ｄ）は（ａ）における矢視ＩＩ方向に沿って見た図、（ｅ）は（ａ）における矢視ＩＩＩ方向に沿って見た図である。この例の蓋部４も、円筒状部分構成部８１，８２のそれぞれに一体とされる正面視して半円形の蓋部構成部４１，４２からなる。各蓋部構成部４１，４２は、分断線Ｌ１に直交する複数のスリット４６を有し、このスリット４６により複数の板状片４７が形成される。各スリット４６の奥部には円形孔４６ａが形成され、さらに、各蓋部構成部４１，４２における分断線Ｌ１側の縁部部４１ａ，４２ａの両端部側には半円形の切欠き４８が形成されている。そして、各蓋部構成部４１，４２は、矢視ＩＩ方向に沿って見た形状が方形状をなし、また、矢視ＩＩＩ方向に沿って見た形状が直角三角形状をなすように構成されている。
【００３４】
そして、左カバー片１１および右カバー片１２を閉状態としたときには、両蓋部構成部４１，４２は、縁部部４１ａ，４２ａ同士が稜線をなすように合体する。この合体状態における矢視ＩＩＩ方向に沿って見た形状が二等辺三角形の山形形状をなす。また、この合体によって形成される蓋部４を正面視すると、各円形孔４６ａは真円形孔をなし、両蓋部構成部４１，４２の切欠き４８同士によって真円形孔をなすように構成される。これらの正面視した真円形孔の内径は、取付け部材３の直線状部分３２の外径よりやや大となるように形成される。また、複数の円形孔４６ａによる真円形孔、および、切欠き４８により形成される２個の真円形孔は、軸線Ｌを中心とする円周に沿って並ぶように配列される。この円周の径は、２本の直線状部分３２の軸線間距離にほぼ等しくなるように設定されている。各蓋部構成部４１，４２は、分断線Ｌ１を挟んで対称となるよう形成されている。
【００３５】
したがって、このように構成される蓋部４を有するクランプカバー本体１０を取付け部材３が連結された状態の引留クランプ２に装着し、両カバー片１１，１２を閉状態にした時には、板状片４７が弾性変形して、取付け部材３の直線状部分３２が円形孔４６ａおよび切欠４８による前記真円形孔のいずれかに収まるようにすることができる。図９（ａ）では、直線状部分３２が切欠き４８による真円形孔に収まっている状態を示している。このように直線状部分３２が切欠き４８による真円形孔に収まっている状態から、配電用碍子７の向きに応じて、取付け部材３を軸線Ｌまわりに回動させると、直線状部分３２に当接する板状片４７が順次弾性変形して、適正な位置の真円形孔に直線状部分３２を収めることができる。また、蓋部４が円筒状部分８の開口を閉塞するから、前記空間Ｓ内への鳥獣や虫とうの侵入が阻止され、これらによる害が防止される。
【００３６】
図１０および図１１は、本発明の他の実施形態に係るクランプカバー本体１０を示し、図１０は同クランプカバー本体１０の開状態を内側から見た斜視図、図１１は開状態の同クランプカバー本体１０の底面図である。この実施形態のクランプカバー本体１０は、下縁係合部１４および中間係合部１５の構成が上記実施形態と異なり、他の構成は上記実施形態と同様である。したがって、上記実施形態と共通する部分には同一の符号を付して、その説明は省略し、以下では異なる部分についてのみ説明する。
【００３７】
本実施形態における下縁係合部１４は、左カバー片１１の下縁部１１ｂにヒンジ部１４ｃａを介して設けられる板状係合操作片１４ｃと、右カバー片１２の下縁部１２ｂにネック部１４ｄａを介して設けられる略４半球状の係合突子１４ｄとからなる。板状係合操作片１４ｃには、係合突子１４ｄの最大径よりやや小さい径の半月状の係止孔１４ｃｂが形成されている。また、中間係合部１５は、左カバー片１１の中間縁部１１ｃにヒンジ部１５ｃａを介して設けられる板状係合操作片１５ｃと、右カバー片１２の中間縁部１２ｃにネック部１５ｄａを介して設けられる略４半球状の係合突子１５ｄとからなる。板状係合操作片１５ｃには、係合突子１５ｄの最大径よりやや小さい径の半月状の係止孔１５ｃｂが形成されている。
【００３８】
このような構成の下縁係合部１４および中間係合部１５によって、両カバー片１１，１２を閉状態とする際は、やっとこ等の間接工具を用いて板状係合操作片１４ｃ，１５ｃを把持し、板状係合操作片１４ｃ，１５ｃをそれぞれのヒンジ部１４ｃａ，１５ｃａを介して右カバー片１２側に回動させる。そして、板状係合操作片１４ｃ，１５ｃの係止孔１４ｃｂ，１５ｃｂに係合突子１４ｄ，１５ｄが圧入するように板状係合操作片１４ｃ，１５ｃをさらに回動させる。係合突子１４ｄ，１５ｄがそれぞれ係止孔１４ｃｂ，１５ｃｂに完全に嵌り込むと、係合突子１４ｄ，１５ｄのネック部１４ｄａ，１５ｄａがそれぞれ係合突子１４ｄ，１５ｄの孔縁部に係止される。これによって、両カバー片１１，１２が閉状態に維持される。このような間接工具を用いた両カバー片１１，１２の閉塞作業も極めて安全に成される。
【００３９】
なお、クランプカバー本体１０の外形状は図例の形状に限定されず、他の形状も採用可能である。また、下縁係合部１４および中間係合部１５の係合機構は、例示のものに限らず他の係合機構を採用することは、もとより可能である。さらに、取付け部材３の形状、蓋部４の構成も他の形状、構成を採用することは可能である。加えて、実施形態では、収容部としての円筒状部分の開口８０に蓋部４を設けた例を示したが、仕様によっては、このような蓋部４を省略することも可能である。
【符号の説明】
【００４０】
１  クランプカバー装置
２  引留クランプ（保持具本体）
３  取付け部材
３２  直線状部分
３２ａ  一端部
５  電線
５ａａ，５ｂａ  電線の端部
６  電柱
４３  板状片
４４  リブ状板状片
４７  板状片
８  円筒状部分（収容部）
８０  開口
Ｌ  予め定める軸線
Ｌａ  直線状部分の軸線
Ｓ２  空間（収容部）
【図１】
2017093183.tif 000003
【図２】
2017093183.tif 000004
【図３】
2017093183.tif 000005
【図４】
2017093183.tif 000006
【図５】
2017093183.tif 000007
【図６】
2017093183.tif 000008
【図７】
2017093183.tif 000009
【図８】
2017093183.tif 000010
【図９】
2017093183.tif 000011
【図１０】
2017093183.tif 000012
【図１１】
2017093183.tif 000013